(57)【特許請求の範囲】
【請求項１】
綴じ孔に通じる嵌入路が形成された棒状本体と、
該棒状本体に連設され、綴り込まれるものを取り付ける取付体とを含み、
該取付体は、棒状本体の幅方向に突き出し設けられた第１の係止体と、前記第１の係止体とヒンジ部を介して連設された第２の係止体とを備え、
前記第１の係止体と第２の係止体とを固定して、綴り込まれるものを取り付けるように形成された、棒状綴じ具。
【請求項２】
第１の係止体または第２の係止体の各々が対向する面に突起が形成され、且つ第１の係止体または第２の係止体の各々が対向する面に前記突起が嵌合される嵌合凹部が形成された、請求項１に記載の棒状綴じ具。
【請求項３】
前記綴じ孔に対応した位置において、ヒンジ部を介して棒状本体の幅方向に延びる突片が連設されてなる第２の係止体が、前記綴じ孔に対応して１または複数形成され、且つ前記突片の第１の係止体と対向する面に、前記突起または嵌合凹部が形成された、請求項１または請求項２に記載の棒状綴じ具。
【請求項４】
第１の係止体は、折り曲げ部を介して棒状本体に連設された長尺帯状であって、
第２の係止体と対向する面に、突部が形成され、該突部に嵌合凹部が形成された、請求項１ないし請求項３のいずれかに記載の棒状綴じ具。
【請求項５】
第２の係止体は、棒状本体側端部より第１の係止体と直交する方向に方形状突片が、該方形状突片と略々同じ幅のヒンジ部を介して突き出し設けられ、
第１の係止体と対向する面に略円柱状突起が突設され、
該円柱状突起は、その先端に球状頭部が第１のくびれ部を介して形成され、
前記球状頭部に続く第１のくびれ部に続いてつば状凸部が形成され、且つ前記つば状凸部に続いて第２のくびれ部が形成された、請求項１ないし請求項４のいずれかに記載の棒状綴じ具。
【発明の詳細な説明】
【０００１】
【発明の属する技術分野】
この発明は、書類や名刺などを入れるポケット、カタログなどを綴じる綴じ具に関し、特に、たとえば、ファイルやバインダーにつづり込まれる綴じられるものの端縁に取着され、綴じられるものを綴じる棒状綴じ具に関する。
【０００２】
【従来の技術】
従来、分厚い書類やカタログをファイルのリング金具等の綴じ具に綴じる場合、綴じられる書類やカタログに綴じ孔を穿設して、その綴じ孔にリング金具等の綴じ具の櫛部を嵌挿して綴じ込んでいた。
【０００３】
【発明が解決しようとする課題】
ところが、比較的分厚い書類やカタログ等の綴じられるものがファイルに綴じ込まれている場合、その一枚あるいは一部を、リング金具等の綴じ具から外して利用したいとき、目的とする書類やカタログ等の綴じられれているもの以外の綴じられているものを、リング金具等の綴じ具に綴じられた状態において、左右に移動させ、且つリング金具等の綴じ具を開いて、目的とする書類やカタログ等の綴じられているものをリング金具等の綴じ具より取り外す必要性がある。
したがって、利用者にとっては、目的とする書類やカタログ等の綴じられているものをリング金具等の綴じ具より取り外すのに、手間がかかり、更にファイル等に綴じられているものが数多くなれば、より一層その手間が多くかかることになり、不便である。
【０００４】
それゆえに、この発明の主たる目的は、リング金具等の綴じ具に綴じられるものが多くなっても、容易に目的とする綴じられているものを、リング金具等の綴じ具より取り外すことができ、且つ比較的厚い書類やカタログ等の綴じられるものであっても、容易にリング金具等の綴じ具に綴じ込むことができる棒状綴じ具を提供することにある。
【０００５】
【課題を解決するための手段】
この発明の請求項１にかかる棒状綴じ具は、綴じ孔に通じる嵌入路が形成された棒状本体と、該棒状本体に連設され、綴り込まれるものを取り付ける取付体とを含み、該取付体は、棒状本体の幅方向に突き出し設けられた第１の係止体と、第１の係止体とヒンジ部を介して連設された第２の係止体とを備え、第１の係止体と第２の係止体とを固定して、綴り込まれるものを取り付けるように形成された、棒状綴じ具である。
この発明の請求項２にかかる棒状綴じ具は、第１の係止体または第２の係止体の各々が対向する面に突起が形成され、且つ第１の係止体または第２の係止体の各々が対向する面に突起が嵌合される嵌合凹部が形成された、請求項１に記載の棒状綴じ具である。
この発明の請求項３にかかる棒状綴じ具は、綴じ孔に対応した位置において、ヒンジ部を介して棒状本体の幅方向に延びる突片が連設されてなる第２の係止体が、綴じ孔に対応して１または複数形成され、且つ突片の第１の係止体と対向する面に、突起または嵌合凹部が形成された、請求項１または請求項２に記載の棒状綴じ具である。
この発明の請求項４にかかる棒状綴じ具は、第１の係止体は、折り曲げ部を介して棒状本体に連設された長尺帯状であって、第２の係止体と対向する面に、突部が形成され、該突部に嵌合凹部が形成された、請求項１ないし請求項３のいずれかに記載の棒状綴じ具である。
この発明の請求項５にかかる棒状綴じ具は、第２の係止体は、棒状本体側端部より第１の係止体と直交する方向に方形状突片が、該方形状突片と略々同じ幅のヒンジ部を介して突き出し設けられ、第１の係止体と対向する面に略円柱状突起が突設され、該円柱状突起は、その先端に球状頭部が第１のくびれ部を介して形成され、球状頭部に続く第１のくびれ部に続いてつば状凸部が形成され、且つつば状凸部に続いて第２のくびれ部が形成された、請求項１ないし請求項４のいずれかに記載の棒状綴じ具である。
【０００６】
この発明の上述の目的，その他の目的，特徴および利点は、図面を参照して行う以下の発明の実施の形態の詳細な説明から一層明らかとなろう。
【０００７】
【発明の実施の形態】
図１は、この発明にかかる一実施の形態である棒状綴じ具の正面図であり、図２は、図１図示棒状綴じ具の右側面図であり、図３は、図１図示棒状綴じ具の背面図であり、図４は、図１図示棒状綴じ具の底面図である。図５は、図１Ａ−Ａ断面図であり、図６は、図１Ｂ−Ｂ断面図であり、図７は、図１Ｃ部図解図である。
【０００８】
この棒状綴じ具１０は、図９に示す多穴式バインダー等の綴じ具１００の４本のＵ字状綴じ棒１０２に、嵌挿して書類やカタログなどの綴り込まれるものＡを綴じるものであり、ポリプロピレンなどの弾力性を有するプラスチックで一体成形されてなり、綴じ孔２１４に通ずる嵌入路２２０が形成された棒状本体２０と、該棒状本体２０に連設され、綴り込まれるものＡを取り付ける取付体３０とを含む。
【０００９】
前記取付体３０は、前記棒状本体２０の幅方向に突き出し設けられた第１の係止体３２と、前記第１の係止体３２とヒンジ部４６を介して連設された第２の係止体３４とを備え、前記第１の係止体３２と第２の係止体３４とを係止して固定し、綴り込まれるものＡを取り付けるように形成されている。
第１の係止体３２は、棒状本体２０と略々同じ長さの長尺帯状であって、綴り込まれるものＡを綴り込むときにおいて前記第２の係止体３４と対向することができるように、折り曲げ部３６を介して棒状本体２０に連設され、前記第２の係止体３４と対向する面に、円柱状突部４０が形成され、該円柱状突部４０にその上部が開口する嵌合凹部４２が形成されている。
【００１０】
第２の係止体３４は、前記第１の係止体３２と棒状本体２０側端部より直交する方向に方形状突片４４が、該方形状突片４４と略同じ幅のヒンジ部４６を介して突き出し設けられ、綴り込まれるものＡを綴じるとき前記第１の係止体３２と対向する面に円柱状突起４８が突設されている。
該円柱状突起４８は、その先端に球状頭部５０が第１のくびれ部５２を介して形成され、前記球状頭部５０に続く第１のくびれ部５２に続いて、つば状凸部５４が形成され、且つ前記つば状凸部５４に続いて、第２のくびれ部５６が形成されている。
【００１１】
前記円柱状突部４０は、前記円柱状突起４８を嵌入固定することができるように嵌合凹部４２が形成され、嵌合凹部４２は、球状頭部５０及びつば状凸部５４を収容する平面円形の収容空洞部４０ａが形成され、収容空洞部４０ａに続く嵌入孔４２ａが形成され、嵌入孔４２ａは、収容空洞部４０ａに近づくにつれて細くなる斜行部を有する截頭円錐状の第１嵌入孔４２ｂと、該第１嵌入孔４２ｂに続いて形成された平面円形の筒状の第２嵌入孔４２ｃとを備える。
嵌入孔４２ａは、収容空洞部４０ａに開口し、第２嵌入孔４２ｃは、収容空洞部４０ａより細い円筒状であり、収容空洞部４０ａの第２嵌入孔４２ｃと接する部位に、球状頭部５０またはつば状凸部５４を係止する段状の肩部４０ｂが形成される。
したがって、図８に示すように、第２の係止体３４を構成する方形状突片４４をヒンジ部４６にて第１の係止体３２側に折り曲げ、円柱状突起４８を第１の係止体３２の表面に突設された円柱状突部４０の嵌合凹部４２に嵌入し固定することにより、書類やカタログ等の綴り込まれるものＡを取り付けることができる。綴り込まれるものＡには、パンチ等の穿設具にてあらかじめ円形状の綴じ孔を適宜な箇所に貫設されているものを利用する。
【００１２】
第２の係止体３４は、使用時において第１の係止体３２と対向する面に円柱状突起４８が、第１の係止体３２の棒状本体２０側端部より直交する方向に突き出し設けられた状態（図５図示状態）において、第１の係止体３２より直交する方向に突き出し設けられた第２の係止体３４の円柱状突起４８と平行な部分において、該円柱状突起４８より大きな方形の貫通孔５８が形成されている。
【００１３】
前記貫通孔５８は、前記第２の係止体３４の円柱状突起４８を成型する金型が通過することができる大きさに形成され、且つ円柱状突起４８の高さおよび幅より長い高さおよび幅を有する。
なお、該高さは、第２の係止体３４が第１の係止体３２より突き出し設けられた部位より円柱状突起４８が突き出された方向における高さであり、該幅は、第２の係止体３４の方形状突片４４の幅方向における幅である。
すなわち、この棒状綴じ具１０を製造するときのプラスチック成形金型は、棒状本体２０の表と裏において２つに分離されたものであり、プラスチック成形金型のキャビティは、第１の係止体３２の棒状本体２０側側端部より直交する方向に、第２の係止体３４が突き出し設けられるように形成され、且つ、前記第２の係止体３４の円柱状突起４８が、第１の係止体３２と平行になるように形成されている。そして、棒状綴じ具１０の背面側を成形する金型は、その一部より、貫通孔５８を貫通して第２の係止体３４の円柱状突起４８の背面側に突出され、該突出した成形金型が、溶融したプラスチックで成形するときには円柱状突起４８の棒状本体２０側面に位置し、成形された棒状綴じ具１０を金型より取り出すときには、棒状本体２０側に引っ込むように形成されており、そのために該突出した金型の出入りする貫通孔５８が、突出した金型の出入りに適する高さおよび幅を有するように形成されている。
【００１４】
この棒状綴じ具１０は、平面略長方形薄板状の棒状本体２０の長手一端縁に綴じ棒１０２に遊嵌する綴じ孔２１４が穿設され、前記綴じ孔２１４に連通する綴じ棒出入口２１６を備える。
【００１５】
前記綴じ孔２１４は、綴じ具１００の綴じ棒１０２の幅（綴じ棒１０２が円柱状のときは直径）より広い面積を有する貫通孔をもって構成され、平面略円弧状に形成されている。
【００１６】
綴じ棒出入口２１６は、棒状本体２０より外方向に向けて突き出た一対の凸部２１８ａと凸部２１８ｂとが対向して、綴じ棒１０２の嵌入路たる狭隘路２２０が形成されている。
狭隘路２２０は、通常綴じ棒１０２の幅よりも狭い通路を構成するように、凸部２１８ａと凸部２１８ｂとが最も接近する部位においても、綴じ棒１０２の幅（直径）よりも狭くなるように形成されている。
【００１７】
前記凸部２１８ａおよび凸部２１８ｂは、それぞれ棒状本体２０より外方向に向けて突き出た環状体で形成され、凸部２１８ａおよび凸部２１８ｂの環状体の各々にはそれぞれ貫通孔が形成されている。
そして、前記凸部２１８ａと凸部２１８ｂとを構成する環状体が対向して狭隘路２２０を形成している。該狭隘路２２０を綴じ棒１０２が出入するとき、すなわち棒状綴じ具１０を綴じ棒１０２より脱嵌または嵌入するときに、該狭隘路２２０が綴じ棒１０２の幅と同等またはそれより若干広く開くように、前記凸部２１８ａおよび凸部２１８ｂを構成する環状体が弾性を有するように形成されている。
この実施の形態においては、凸部２１８ａおよび凸部２１８ｂを構成する環状体は、綴じ孔２１４の最も外側部位に続いて形成され、一対の凸部２１８ａおよび凸部２１８ｂの最も接近する部位からさらに外側に向けて、その間が徐々に広がっていくように形成され、凸部２１８ａおよび凸部２１８ｂの最も外側の部位は、棒状本体２０の外側縁より若干外側に向けて突き出るように構成されている。
【００１８】
綴じ具１００の綴じ棒１０２に出し入れするときに棒状綴じ具１０を引張ると、この凸部２１８ａともう一方の対向する凸部２１８ｂとが最も接近する位置すなわち狭隘路２２０の近傍において、一定以上の力が凸部２１８ａおよび凸部２１８ｂにかかり、凸部２１８ａおよび２１８ｂは若干その弾性により変形する。したがって、棒状綴じ具１０を綴じ具１００の綴じ棒１０２より取り外すことができたり、逆に取り付けることができる。
しかしながら、一定以上の力が凸部２１８ａおよび２１８ｂにかからないと、棒状綴じ具１０は、綴じ具１００の綴じ棒１０２より抜け出ることはない。
【００１９】
前記実施の形態においては、凸部２１８ａおよび凸部２１８ｂが無端環状体によって構成されているが、この棒状綴じ具１０は、前記した構成に限らず、たとえば、図１０に示すように、綴じ孔２１４から連続して外方向に向けて突き出た左右一対の凸部３１８ａ、凸部３１８ｂがその先端において繋がらず、フィンガー状突起が棒状本体２０より綴じ孔２１４を構成するように突き出て向き合い、略Ｃ字状に形成された構成でもよい。
また、綴じ孔２１４の数は４穴に限らず、２穴、３穴、多穴でもよい。したがって、各穴には、それに対応した綴じ棒出入口２１６及び凸部２１８ａ、凸部２１８ｂが形成される。
【００２０】
棒状綴じ具１０は、繰返し使用に耐えられるように、比較的硬質な合成樹脂製シートまたは合成樹脂の成型により製作されるが、綴じ具１００の綴じ棒１０２の太さに関わらず、棒状綴じ具１０を脱着できるよう、綴じ棒出入口２１６の幅を狭くし、且つその綴じ棒出入口２１６を構成するものに弾性をもたせるようにする構成については、この発明に含まれるものである。
【００２１】
【発明の効果】
この発明によれば、リング金具等の綴じ具に綴じられるものが多くなっても、容易に目的とする綴じられているものを、リング金具等の綴じ具より取り外すことができ、且つ比較的厚い書類やカタログ等の綴じられるものであっても、容易にリング金具等の綴じ具に綴じ込むことができる。
【図面の簡単な説明】
【図１】この発明にかかる一実施の形態である棒状綴じ具の正面図である。
【図２】図１図示棒状綴じ具の右側面図である。
【図３】図１図示棒状綴じ具の背面図である。
【図４】図１図示棒状綴じ具の底面図である。
【図５】図１Ａ−Ａ断面図である。
【図６】図１Ｂ−Ｂ断面図である。
【図７】図１Ｃ部図解図である。
【図８】第１の係止体と第２の係止体とを固定させた状態を示す断面図解図である。
【図９】棒状綴じ具の利用方法を示す斜視図解図である。
【図１０】別の実施形態である棒状綴じ具の斜視図解図である。
【符号の説明】
Ａ  綴り込まれるもの
１０  棒状綴じ具
２０  棒状本体
３０  取付体
３２  第１の係止体
３４  第２の係止体
３６  折り曲げ部
４０  円柱状突部
４０ａ  収容空洞部
４０ｂ  肩部
４２  嵌合凹部
４２ａ  嵌入孔
４２ｂ  第１嵌入孔
４２ｃ  第２嵌入孔
４４  方形状突片
４６  ヒンジ部
４８  円柱状突起
５０  球状頭部
５２  第１のくびれ部
５４  つば状凸部
５６  第２のくびれ部
５８  貫通孔
１００  綴じ具
１０２  綴じ棒
２１４  綴じ孔
２１６  綴じ棒出入口
２１８ａ，２１８ｂ  凸部
２２０  狭隘路
３１８ａ，３１８ｂ  凸部
【図１】
0003623772.tif 000002
【図２】
0003623772.tif 000003
【図３】
0003623772.tif 000004
【図４】
0003623772.tif 000005
【図５】
0003623772.tif 000006
【図６】
0003623772.tif 000007
【図７】
0003623772.tif 000008
【図８】
0003623772.tif 000009
【図９】
0003623772.tif 000010
【図１０】
0003623772.tif 000011